(57)【要約】【目的】頭髪の根元、中間、毛先を調整することが出来ると共に、頭髪の毛量、毛流をも調整できる頭髪用梳き鋏を提供することである。【構成】先部の櫛刃８の刃間の間隔と後部の櫛刃９の刃間の間隔を異ならせ、先部の櫛刃８の刃間の間隔を後部の櫛刃９の刃間の間隔よりも狭く、後部の櫛刃９の刃間の間隔を先部の櫛刃８の刃間の間隔よりも広く形成したことを特徴とする。【選択図】　図１
2004049349.tif 000002
【特許請求の範囲】
【請求項１】
櫛刃と棒刃とからなり、先部の櫛刃の刃間の間隔と後部の櫛刃の刃間の間隔を異ならせ、先部の櫛刃の刃間の間隔を後部の櫛刃の刃間の間隔よりも狭く、後部の櫛刃の刃間の間隔を先部の櫛刃の刃間の間隔よりも広く形成したことを特徴とする頭髪用梳き鋏。
【発明の詳細な説明】
【０００１】
【産業上の利用分野】
本発明は頭髪用梳き鋏、詳しくは頭髪の根元、中間、毛先を調整することができ、頭髪の毛量、毛流を調整できる頭髪用梳き鋏に関する。
【０００２】
【従来の技術】
従来、頭髪用梳き鋏は、櫛刃と棒刃とからなり、櫛刃の刃間の間隔は全て同じで、地肌に対して平行にし、櫛刃と棒刃との開閉により、髪の毛を梳くと共に、毛束の毛先処理に使用し、表面上の仕上がり、すなわち、見た目重視を意識した髪の毛のカットをしていた。
【０００３】
【発明が解決しようとする課題】
かかる頭髪用梳き鋏では、櫛刃の刃間の間隔が全て同じ間隔からなり、地肌に対して平行にし、櫛刃と棒刃との開閉により、髪の毛を梳いているので、毛束の毛先処理しか出来ず、髪の長さを変えることなく、違ったスタイルを作ること、又は毛髪の性格を変えることが出来なかった。
又、使い方を間違えると、毛束の毛先の方が薄くなって質感が不釣合いとなったり、多い毛を本質的に少なくすることが出来なかった。
この様に、従来の梳き鋏では、表面を意識するだけのヘアースタイルしか作ることが出来なかった。
【０００４】
本発明は、かかる点に鑑みなされてもので、頭髪の根元、中間、毛先を調整することが出来ると共に、頭髪の毛量、毛流をも調整できる頭髪用梳き鋏を提供することを目的とする。
【０００５】
【課題を解決するための手段】
上記目的を達成すべく、本発明にかかる頭髪用梳き鋏は、先部の櫛刃の刃間の間隔と後部の櫛刃の刃間の間隔を異ならせ、先部の櫛刃の刃間の間隔を後部の櫛刃の刃間の間隔よりも狭く、後部の櫛刃の刃間の間隔を先部の櫛刃の刃間の間隔よりも広く形成したことを特徴とする。
【０００６】
かかる頭髪用梳き鋏は、先部の櫛刃の刃間の間隔と後部の櫛刃の刃間の間隔とを異ならせ、先部の櫛刃の刃間の間隔が後部の櫛刃の刃間の間隔よりも狭く形成しているので、地肌に対して刃先を直接付けて、縦、斜めに挿入しながら、先部の櫛刃によって、頭髪の根元、中間、毛先を調整することができる。
【０００７】
【発明の実施の形態】
本発明にかかる一実施例を図１乃至図４に基ずいて説明する。
梳き鋏は棒刃１と櫛刃２からなり、棒刃１と櫛刃２の中央部には軸孔３をあけ、この軸孔３に螺子４を挿入して、棒刃１と櫛刃２が開閉可能に螺着してなる。この棒刃１と櫛刃２の下部（図示右側）には、それぞれに指を挿入する指挿入環５，５を設け、櫛刃２の指挿入環５の後部には、指当て部６を設け、櫛刃２の指挿入環５の棒刃１側には、指挿入環５，５の接触を緩和する突部７を設けている。
【０００８】
櫛刃２の指挿入環５には、その内側に弾性を有する合成樹脂製の緩衝材１０を取り付け、櫛刃２を開閉する際における指の保護を図っている。
指当て部６は、櫛刃２の開閉操作がし易い様に、末端が膨らんだ円柱状からなっている。
【０００９】
そして、櫛刃２は、先部の櫛刃間の間隔Ｘを後部の櫛刃間の間隔Ｙよりも狭く形成している。
すまわち、先部の櫛刃（先部櫛刃）８における刃間の間隔Ｘは略同じ間隔からなり、後部の櫛刃（後部櫛刃）９における刃間の間隔Ｙも略同じ間隔からなるが、先部の櫛刃８における刃間の間隔Ｘと後部の櫛刃９における刃間の間隔Ｙが異なり、先部の櫛刃８における刃間の間隔Ｘを狭く、後部の櫛刃９における刃間の間隔Ｙを広く形成している。
【００１０】
櫛刃２のおける先部の櫛刃８と後部の櫛刃９は８乃至１０ｃｍの長さで形成しているが、これに限るものではない。
８乃至１０ｃｍの長さで形成しているのは、標準的な髪の長さに合わせる為と使用し易さの為である。
【００１１】
本実施例では、先部の櫛刃８と後部の櫛刃９の割合を１対２の割合で形成しているが、これに限るものではなく、先部の櫛刃８と後部の櫛刃９の割合は任意に変更することが出来る。
先部の櫛刃８と後部の櫛刃９の刃先は、その溝１１が０．１ｍｍから形成している。
【００１２】
かかる梳き鋏では、頭部の地肌に刃先を直接付け、地肌に対して縦、斜めに挿入し、頭髪の根元、中間、毛先を先部の櫛刃８と後部の櫛刃９で梳く。
先部の櫛刃８における刃間の間隔を狭く、後部の櫛刃９における刃間の間隔を広く形成し、更に、刃先の溝を０．１ｍｍから形成しているので、髪の毛をいくらかの束にブロックし、根元から直上に持ち上げたとき、髪の毛自体の重さ、髪質、密度を考えながら、操作することにより、筆状を作り、立体的なカットができる。
【００１３】
従来の梳き鋏では、櫛刃の刃間の間隔が同じに形成されているので、まとまって切れてしまい、その為、上から押さえた時、根元に切り株状に突起ができ、違和感を覚え、又、開閉回数によっては、穴があいたり、ヘアースタイルを創る上で、障害がある。
その為、本梳き鋏の刃先の溝を０．１ｍｍの切断面にし、人が持つ切れ毛、新生毛を人工的に作り、重なり合ってできているヘアースタイルのふくらみを抑えたり、つぶれてしまっている毛を浮かしたり、自然な形での創り上げが可能となるようにする。
【００１４】
今までのヘアースタイルは、表面上の見た目でカットされてきたので、違和感のある部分に対して梳き鋏を使用し、表面上に見える部分をカットし削りこみ、表面上の調整でしかなく、毛の長さが変ったり、求める質感が出なかったりであるが、本梳き鋏では、先部の櫛刃８における刃間の間隔Ｘを狭く、後部の櫛刃９における刃間の間隔Ｙを広く形成しているので、毛流の強い所、毛量の多いところを根元から調整することにより、表面を傷つけず内側からの筆状カットが展開図とうり出来る。
【００１５】
なお、上記では、先部の櫛刃８における刃間の間隔Ｘを狭く、後部の櫛刃９における刃間の間隔Ｙを広く形成し、２種類の間隔で形成しているが、３種類、４種類の間隔で形成することもできる。
すなわち、図４に示す様に、櫛刃の刃間の間隔を先部から、狭い部分１２、広い部分１３、狭い部分１４とすることもできる。
【００１６】
【発明の効果】
本発明によれば、先部の櫛刃の刃間の間隔と後部の櫛刃の刃間の間隔を異ならせ、先部の櫛刃の刃間の間隔を後部の櫛刃の刃間の間隔よりも狭く、後部の櫛刃の刃間の間隔を先部の櫛刃の刃間の間隔よりも広く形成したことにより、地肌に対して刃先を直接付けて、縦、斜めに挿入しながら、先部の櫛刃と後部の櫛刃によって、頭髪の根元、中間、毛先を調整することができ、頭髪の毛量、毛流を調整できる。
【図面の簡単な説明】
【図１】本発明にかかる一実施例の梳き鋏の正面図である。
【図２】図１に示す梳き鋏を開いた状態の正面図である。
【図３】図１に示す梳き鋏の櫛刃部分の拡大正面図である。
【図４】本発明にかかる他の実施例の梳き鋏における櫛刃部分の正面図である。
【符号の説明】
２は櫛刃
８は先部の櫛刃
９は後部の櫛刃
【図１】
2004049349.tif 000003
【図２】
2004049349.tif 000004
【図３】
2004049349.tif 000005
【図４】
2004049349.tif 000006